(57)【特許請求の範囲】
【請求項１】
感熱センサによって熱放射体の接近を検知して配線回路のオン，オフを自動的に制御する感熱センサスイッチ装置であって、
ケース本体と、前記感熱センサを装着するとともに前記ケース本体の内部に軸を中心として回動自在に設けた回動体と、前記ケース本体の前面に設けてあり外部から入射する熱線を前記回動体に装着した感熱センサに導く熱線入射窓と、熱線を遮蔽する材料で形成してあり前記感熱センサに対する熱線の入射範囲を規制する第１，第２のシャッタ部材とを備え、
更に、前記第１のシャッタ部材は、下部支持枠と、この下部支持枠から鉛直に延出して形成された熱線を遮蔽するための第１シャッタ板と、前記下部支持枠の周縁に形成した第１検知エリア調整レバーとを備え、
前記第２のシャッタ部材は、下部支持板と、この下部支持板から鉛直に延出して形成された熱線を遮蔽するための第２シャッタ板と、前記下部支持板の周縁に形成した第２検知エリア調整レバーとを備え、
更に、前記回動体は、下枠に支軸が突出して設けてあり、
前記第１のシャッタ部材の下部支持枠は、曲率中心部に内側軸受筒が設けられており、
前記第２のシャッタ部材の下部支持板は、曲率中心部に外側軸受筒が設けられており、
更に、前記第１のシャッタ部材の下部支持枠は、円環状に形成されるとともに、その一部を切り欠いて弾力的に撓むように構成され、
前記第２のシャッタ部材の第２シャッタ板の下部は、曲率中心部側に窪んだ段付き部が形成されており、
そして、前記第１のシャッタ部材の下部支持枠を弾力的に撓ませて、前記第２シャッタ板の段付き部に嵌め込むとともに、
第２のシャッタ部材に形成した前記外側軸受筒に第１のシャッタ部材に形成した内側軸受筒を嵌入し、
前記回動体の支軸を前記第１のシャッタ部材に形成した内側軸受筒に挿入することにより、
前記第１，第２のシャッタ部材は、前記回動体と一体的に回動するとともに、該回動体と同一の軸を中心として前記感熱センサの周囲で独立して回動自在となる構成であることを特徴とする感熱センサスイッチ装置。
【発明の詳細な説明】
【０００１】
【発明の属する技術分野】
この発明は、人体などの熱放射体から放射される熱線を検知して、配線回路のオン，オフを自動的に制御するための感熱センサスイッチ装置に関する。
【０００２】
【従来の技術】
屋内照明のオン，オフ等に用いられているスイッチ装置も日々進歩発展を積み重ねており、近年においては、接近してくる人物に反応して屋内照明を点灯できるようにした感熱センサスイッチ装置が開発されてきている。
従来の感熱センサスイッチ装置としては、例えば特開平５−８２２６３号公報に開示されたような構成の感熱自動スイッチが知られている。この種の感熱センサスイッチ装置は、ケースに内蔵した感熱センサが人体から放射される熱線を検知すると、接続端子に配線された照明器具などの負荷をオン状態にし、その検知時点から所定時間が経過した後、自動的にオフとする構成を備えている。この感熱センサスイッチ装置の設置によって、例えば、暗い室内に人が入ると同時に、自動的に照明を点灯させることができ、スイッチの設置場所がわからない外来者にとって大変便利な仕組みとなる。
【０００３】
【発明が解決しようとする課題】
さて、感熱センサスイッチ装置に内蔵された感熱センサに対し、広い範囲から熱線が入射できるようにするためには、感熱センサの前面にフレネルレンズ等の光学レンズを配置し、広い角度範囲から入射する熱線を感熱センサ上に収束させればよい。一方、用途によっては、限られた範囲でかつ一定の方向から入射する熱線のみを感熱センサが検知して、配線回路をオン，オフする動作状態を形成したい場合もある。
【０００４】
例えば、展示場等において特定の展示品の前で立ち止まり、該展示品を鑑賞しようとする人物のみを検知し、該展示品に向けたスポットライトを点灯させたいような場合である。
しかしながら、従来の感熱センサスイッチ装置には、フレネルレンズ等を使用して感熱センサに対する熱線の入射範囲を広げる構造を備えたものはあったが、逆に限られた範囲でかつ一定の方向から入射する熱線のみを感熱センサが検知して、配線回路をオン，オフさせることのできる構成を備えたものは知られていない。
【０００５】
この発明は上述した事情に鑑みてなされたもので、感熱センサに対する熱線の入射範囲を任意に調整することのできる感熱センサスイッチ装置の提供を目的とする。またこの発明は、感熱センサに対する熱線の入射方向をも任意に調整することのできる感熱センサスイッチ装置の提供を目的とする。
【０００６】
【課題を解決するための手段】
上記目的を達成するためにこの発明は、ケース本体に熱線を検知する感熱センサを備え、該感熱センサによって熱放射体の接近を検知して配線回路のオン，オフを自動的に制御する感熱センサスイッチ装置において、上記感熱スイッチの周囲に、熱線を遮蔽するシャッタ手段を開閉自在に設けた構成としてある。
これにより、シャッタ手段の開閉量を調整することにより、感熱スイッチに対する熱線の入射範囲を任意に設定することができる。
【０００７】
ここで、上記シャッタ手段は、感熱センサの周囲をそれぞれ独立して移動自在な第１，第２のシャッタ部材で構成し、これら各シャッタ部材の移動位置を任意に調整することにより感熱センサに対する熱線の入射範囲を調整可能とすることができる。
【０００８】
さらに、上記感熱センサをケース本体に回動自在に設けるとともに、シャッタ手段をこの感熱センサと一体的に回動可能とし、この感熱センサの回動位置を調整することにより熱線の検知方向を任意に設定できるようにしてもよい。
【０００９】
具体的には、ケース本体と、感熱センサを装着するとともにケース本体の内部に軸を中心として回動自在に設けた回動体と、ケース本体の前面に設けてあり外部から入射する熱線を上記回動体に装着した感熱センサに導く熱線入射窓と、熱線を遮蔽する材料で形成してあり感熱センサに対する熱線の入射範囲を規制する第１，第２のシャッタ部材とを備えた構成とすることができる。
そして、第１，第２のシャッタ部材を、回動体と一体的に回動するとともに、回動体と同一の軸を中心として感熱センサの周囲で独立して回動自在とすることにより、各シャッタ部材の回動によって感熱センサに対する熱線の入射範囲を調整し、かつ回動体の回動によって同入射方向を調整できるようにしてある。
さらに、第１のシャッタ部材は、下部支持枠と、この下部支持枠から鉛直に延出して形成された熱線を遮蔽するための第１シャッタ板と、下部支持枠の周縁に形成した第１検知エリア調整レバーとを備え、
第２のシャッタ部材は、下部支持板と、この下部支持板から鉛直に延出して形成された熱線を遮蔽するための第２シャッタ板と、下部支持板の周縁に形成した第２検知エリア調整レバーとを備えている。
【００１０】
【発明の実施の形態】
以下、この発明の実施の形態について図面を参照して詳細に説明する。
図面はこの発明の一実施形態に係る感熱センサスイッチ装置を示しており、図１は分解斜視図、図２は壁面に取り付けた状態の斜視図、図３は一部切欠き平面図、図４は一部切欠き正面図、図５は一部切欠き側面図、図６は断面側面図、図７は背面図である。
図１，図６に示すように、表ケース２と裏ケース３からなるケース本体１の内部は、感熱部Ａ，スイッチ部Ｂ，電源回路部Ｃ，および端子部Ｄの各部に分かれている。
【００１１】
感熱部Ａは、表ケース２の上半部に形成してあり、該感熱部Ａを形成する表ケース２の正面部分は、半円筒状に突出しており、しかも該正面部分に熱線入射窓４が穿設してある。この熱線入射窓４には、熱線を透過する性質を有した半透明の薄板からなるカバー５が装着してあり、内部への塵埃の侵入を防止してある。感熱部Ａにおける表ケース２の内壁上部には、図６に示すように、軸受穴６が形成してあり、またこの軸受穴６に対向する内壁下部には、支軸７ａを有する軸受部材７が固定される。ここで、軸受部材７の支軸７ａには、上端面の中央部から中心軸方向に軸受穴７ｂが形成してある。そして、これら軸受穴６および軸受部材７の間で、回動体１０および第１，第２のシャッタ部材１１，１２を回動自在に支持する構成となっている。
【００１２】
回動体１０は、図１に示すように上板１３と下枠１４とを二本の中枠１５，１５によって支持した構造となっている。上板１３は、半円筒状に突出した表ケース２の正面部分とほぼ同一の曲率を有する円盤状に形成してあり、この上板１３から曲率中心部へと延出する弾力片１３ａを介して、回動体１０の中心部に支軸１６が突出して設けてある。
【００１３】
また、下枠１４にも回動体１０の中心部に支軸１７が突出して設けてある（図６参照）。この支軸１７は段付き形状をしており、先端部分１７ａの直径が細くなっている。後述するように、この先端部分１７ａが軸受部材７の支軸７ａに形成した軸受穴７ｂに挿入される。
さらに、上板１３の周縁には、角度調整のためのレバー（検知方向調整レバー）１８が形成してあり、この検知方向調整レバー１８が表ケース２の正面部分から露出するようになっている（図２，図４，図５参照）。
【００１４】
下枠１４は、回動体１０の両側部から正面部にかけての正面半円部分に設けてあり、該下枠１４の両側部と上板１３とを中枠１５，１５によって連結してある。中枠１５，１５には、センサ基板１９の固定部１５ａが形成してあり、この固定部１５ａにセンサ基板１９の側縁を接着剤等を用いて固定する。
【００１５】
センサ基板１９には、感熱センサ２０を中心とした熱検知回路の構成素子が半田付けしてあり、中枠１５，１５へ固定した状態では、感熱センサ２０の熱感知面２０ａを正面に向けてある。さらにこの状態で、感熱センサ２０の熱感知面２０ａは、回動体１０のほぼ中心部分に配置される。
また、中枠１５，１５には熱収束板２１を固定するための係合溝１５ｂが設けてあり、熱収束板２１の両端に設けた係合爪２１ａをこれら係合溝１５ｂに係合することによって、回動体１０に熱収束板２１を固定するようになっている。熱収束板２１は、フレネルレンズ等の光学レンズ２２を複数配列した構成となっている。そして、熱収束板２１の上下縁を上板１３および下枠１４によって湾曲して支持することにより、中枠１５，１５に固定した感熱センサ２０の熱感知面２０ａに各光学レンズ２２の焦点が合致するようにしてある。
【００１６】
第１のシャッタ部材１１には、下部支持枠２３から鉛直に第１シャッタ板２４が延出して形成してある。下部支持枠２３は、半円筒状に突出した表ケース２の正面部分とほぼ同一の曲率を有する円環状に形成してあり、その一部を切欠いて弾力的に撓むようにしてある。
下部支持枠２３の曲率中心部には、下部支持枠２３から該曲率中心部に延出した舌片２３ａを介して内側軸受筒２５が設けてある。この内側軸受筒２５には、上記回動体１０の下枠１４に設けた支軸１７が上方から回動自在に嵌入される。
【００１７】
第１シャッタ板２４は、外部から感熱部Ａに入射する熱線を遮蔽できる材料で、下部支持枠２３に沿って湾曲形状に形成してある。また、下部支持枠２３の周縁には、第１シャッタ板２４の位置を調整するためのレバー（第１検知エリア調整レバー）２６が形成してあり、この第１検知エリア調整レバー２６が表ケース２の正面部分から露出するようになっている（図２，図４参照）。
【００１８】
第２のシャッタ部材１２には、下部支持板２７から鉛直に第２シャッタ板２８が延出して形成してある。下部支持板２７は、半円筒状に突出した表ケース２の正面部分とほぼ同一の曲率を有する円板状に形成してある。下部支持板２７の曲率中心部には、外側軸受筒２９が設けてある。この外側軸受筒２９には、上記第１のシャッタ部材１１に設けた内側軸受筒２５が上方から回動自在に嵌入される。第２シャッタ板２８も第１シャッタ板２４と同様、外部から感熱部Ａに入射する熱線を遮蔽できる材料にしてあり、下部支持板２７に沿った湾曲形状となっている。
【００１９】
第２シャッタ板２８の下部は曲率中心部側に窪んだ段付き部２８ａとなっており、この段付き部２８ａに第１のシャッタ部材１１の下部支持枠２３が摺動自在に係合する。この段付き部２８ａへは、第１のシャッタ部材１１の下部支持枠２３を弾力的に撓ませることにより、無理なく嵌め込むことができる。また、下部支持板２７の周縁には、第２シャッタ板２８の位置を調整するためのレバー（第２検知エリア調整レバー）３０が形成してあり、この第２検知エリア調整レバー３０が表ケース２の正面部分から露出するようになっている（図２，図４参照）。
【００２０】
上述した回動体１０および第１，第２のシャッタ部材１１，１２は、まず第２のシャッタ部材１２に形成した外側軸受筒２９へ、第１のシャッタ部材１１に形成した内側軸受筒２５を嵌入してこれら各部材１１，１２を一体化する。このとき、第１のシャッタ部材１１の下部支持枠２３を弾力的に撓ませて、第２シャッタ板２８の段付き部２８ａに嵌め込む。次いで、回動体１０の下枠１４から突出する支軸１７を第１のシャッタ部材１１に形成した内側軸受筒２５に上方から挿入する。
【００２１】
そして、軸受部材７の支軸７ａを、第１のシャッタ部材１１に形成した内側軸受筒２５に下方から挿入し、さらに同支軸７ａに形成した軸受穴７ｂに回動体１０の支軸先端部分１７ａを挿入する。この状態で、これら回動体１０，第１，第２のシャッタ部材１１，１２および軸受部材７を、表ケース２内の感熱部Ａに組み込む。このとき、まず回動体１０の上板１３から延出する弾力片１３ａを弾力的に撓ませながら、支軸１６を表ケース２の内壁上部に形成した軸受穴６に挿入し、続いて、軸受部材７を感熱部Ａにおける表ケース２の内壁下部にねじ等を用いて固定する。以上の作業をもって、回動体１０および第１，第２のシャッタ部材１１，１２を、ケース本体１内部の感熱部Ａに組み込むことができる。
【００２２】
ここで、回動体１０に形成した検知方向調整レバー１８、第１のシャッタ部材１１に形成した第１検知エリア調整レバー２６、および第２のシャッタ部材１２に形成した第２検知エリア調整レバー３０は、それぞれ表ケース２の正面部分から露出しており（図２，図４参照）、外部から独立して操作できるようになっている。
すなわち、図２，図４に示すように、回動体１０に形成した検知方向調整レバー１８を回動操作することにより、感熱部Ａ内で回動体１０が回動する。この回動体１０の回動に伴い、感熱センサ２０の熱感知面２０ａが左右に向きを変えることができる。例えば、回動体１０の回動範囲ａ，ｂを正面位置から左右方向へそれぞれ４５°に設定すれば、合計９０°の範囲で感熱センサ２０の向きを変えることができる。
【００２３】
また、第１のシャッタ部材１１に形成した第１検知エリア調整レバー２６を回動操作することにより、感熱部Ａ内で第１シャッタ板２４が回動する。このようにして回動する第１シャッタ板２４は、その回動位置に応じて、回動体１０の前面に設けた熱収束板２１の前方を任意の範囲で被覆する。同様に、第２のシャッタ部材１２に形成した第２検知エリア調整レバー３０を回動操作することにより、感熱部Ａ内で第２シャッタ板２８が回動する。このようにして回動する第２シャッタ板２８は、その回動位置に応じて、回動体１０の前面に設けた熱収束板２１の前方を任意の範囲で被覆する。
【００２４】
この実施形態では、感熱センサ２０を正面に向けた状態で、第１シャッタ板２４が熱収束板２１の左半分を左端から任意の範囲ｃ（例えば、４０°〜７５°の範囲）で被覆できるようにするとともに、第２シャッタ板２８が熱収束板２１の右半分を右端から任意の範囲ｄ（例えば、４０°〜７５°の範囲）で被覆できるようにしてある。これら各シャッタ板２４，２８は、それぞれ独立して回動位置を調節できるようになっており、それぞれの回動位置の組み合せによって、熱収束板２１、すなわち感熱センサ２０への熱線の入射範囲を任意の範囲（例えば、正面位置から左右１５°〜５０°の範囲）で調節できるようにしてある。
【００２５】
上述したように、第１，第２シャッタ板２４，２８の回動位置によって熱収束板２１（すなわち、感熱センサ２０）への熱線の入射範囲を任意に調整できるとともに、回動体１０とこれら各シャッタ板２４，２８とを一体的に回動することによって、感熱センサ２０への熱線の入射方向を任意に調整することができる。
【００２６】
スイッチ部Ｂは、表ケース２の下半部に形成してあり、該スイッチ部Ｂを形成する表ケース２の正面部には、図４等に示すように、動作モード切替つまみ３１を露出させる角形の透孔３２、明暗感度調整用つまみ３３を露出させる透孔３４、および点灯時間調整用つまみ３５を露出させる透孔３６がそれぞれ穿設してある。さらに、光検知センサ３７に外部の光線を入射させる光入射窓３８、およびＯＮ／ＯＦＦ状態を表示する発光表示窓３９が設けてある。
【００２７】
表ケース２のスイッチ部Ｂ内には、図１，図６に示すように、スイッチ基板４０が装着してある。スイッチ基板４０には、動作モードスイッチ４１，明暗調整ボリューム４２，点灯時間調整タイマ４３，光検知センサ３７，および発光表示用の発光ダイオード４４が設けてある。
【００２８】
動作モードスイッチ４１は、図４に示すように、この感熱センサスイッチ装置を連続ＯＮモード，電源ＯＦＦモード，および自動ＯＮ／ＯＦＦモードの各モードに切替えるためのスイッチであり、連続ＯＮモードでは、電源Ｖと負荷Ｌとが接続された状態（ＯＮ状態）を形成する。また、電源ＯＦＦモードでは、電源Ｖと負荷Ｌとが切断された状態（ＯＦＦ状態）を形成する。
【００２９】
そして、自動ＯＮ／ＯＦＦモードでは、前記感熱センサ２０が熱線を検知してから一定時間の間、電源Ｖと負荷Ｌとを接続する状態（ＯＮ状態）を形成する。この動作モードスイッチ４１の切替爪部４１ａに動作モード切替つまみ３１を装着し、該つまみ３１を透孔３２から露出させることにより、外部から動作モードスイッチ４１の切替え操作を行なえるようにしてある。
【００３０】
光検知センサ３７は光入射窓３８に近接して配置するようになっており、この光検知センサ３７で検知した外部の明るさに応じて、上述した自動ＯＮ／ＯＦＦモードが作動する。その作動する明るさは、明暗調整ボリューム４２によって調整できるようになっている。つまり、外部が明るい状態においても、感熱センサ２０による熱線の検知に応じてＯＮ動作を行なわせることができる一方、外部が暗くなったときのみ、感熱センサ２０による熱線の検知に応じたＯＮ動作を行なわせることもできる。
【００３１】
この明暗調整ボリューム４２に明暗感度調整用つまみ３３を装着し、該つまみ３３を透孔３４から露出させることにより、外部から明暗調整ボリューム４２を操作できるようにしてある。
点灯時間調整タイマ４３は、自動ＯＮ／ＯＦＦモードによってＯＮ状態とする時間を任意に設定するためのもので、このタイマ４３により、感熱センサ２０が熱線を検知してＯＮ状態となってから、ＯＦＦ状態となるまでの間の時間を任意に設定することができる。この点灯時間調整タイマ４３に、点灯時間調整用つまみ３５を装着し、該つまみ３５を透孔３６から露出させることにより、外部から点灯時間調整タイマ４３を操作できるようにしてある。
【００３２】
なお、発光ダイオード４４は発光表示窓３９に近接して配置するようになっており、この感熱センサスイッチ装置がＯＮ状態のとき、該発光ダイオード４４が発光し、その発光状態を発光表示窓３９を通して外部で視認できるようにしてある。
【００３３】
ケース本体１内の電源回路部Ｃには、電源回路基板４６が固定される。電源回路基板４６には、後述する接続端子４７に接続した負荷Ｌに定格の電力を供給するために必要な電源回路の構成素子が半田付けしてある。電源回路部４６には放熱板４５が装着してあり、この放熱板４５は裏ケース３内に形成した放熱空間３ａに配置される（図６参照）。この放熱空間３ａは、放熱板４５の熱を放散するために充分な容積を確保してある。
【００３４】
電源回路基板４６と上述したセンサ基板１９およびスイッチ基板４０は、可撓導体によって結線され、感熱センサスイッチ装置の回路網を形成する。なお、感熱センサスイッチ装置の電気的な回路構成は、例えば特開平５−８２２６３号公報等によって公知であるため、その詳細な説明は省略する。
裏ケース３の下部に形成した端子部Ｄには、図１に示すように４個の接続端子４７が、押えばね４８およびリリースボタン４９とともに組み込まれ、端子押え５０によってその組み込み状態を維持するようになっている（図６参照）。各接続端子４７は、上述した電源回路基板４６に設けた接点と電気的に接続される。
【００３５】
また、裏ケース３には、図７に示すように導線挿入孔５１が穿設してあり、負荷Ｌおよび電源Ｖを含む配線回路から導かれてきた導線を、これら導線挿入孔５１から挿入して、各接続端子４７に接続できるようになっている。押えばね４８は、周知のねじ無し端子構造を構成するもので、導線挿入孔５１から挿入した導線を接続端子４７と協同して挾持する。さらに、裏ケース３には工具挿入孔５２が穿設してあり、この工具挿入孔５２からドライバ等の工具を差し込むことで、リリースボタン４９が押えばね４８を撓ませて、導線の挾持状態を解除する。
【００３６】
次に、上述した感熱センサスイッチ装置が備えた特有の作用を説明する。
この感熱センサスイッチ装置は、例えば室内の壁面に埋め込まれ、人物などの熱放射体から発散する熱線を感熱センサ２０により検知して、接続端子４７に接続した配線回路を自動的にＯＮ／ＯＦＦする自動ＯＮ／ＯＦＦモードを備えている。
【００３７】
この自動ＯＮ／ＯＦＦモードにおいて、例えば、図４の正面を中心として広い角度範囲で熱放射体が発散する熱線を検知したい場合には、回動体１０に形成した検知方向調整レバー１８を操作して、回動体１０に固定してある感熱センサ２０が正面を向くように調整する。さらに、第１のシャッタ部材１１に形成した第１検知エリア調整レバー２６を図示左方向いっぱいに移動させるとともに、第２のシャッタ部材１２に形成した第２検知エリア調整レバー３０を図示右方向いっぱいに移動させる。これにより、第１，第２シャッタ板２４，２８が、それぞれ熱収束板２１の前面を広い範囲で開放するので、図４の正面前方の広い角度範囲で熱放射体が発散する熱線を検知することができる。
【００３８】
また、図４の正面前方にある狭い領域に熱放射体が存在するときのみ、該熱放射体が発散する熱線を検知したい場合には、第１のシャッタ部材１１に形成した第１検知エリア調整レバー２６を図示右方向に移動させるとともに、第２のシャッタ部材１２に形成した第２検知エリア調整レバー３０を図示左方向に移動させる。これにより、回動体１０に装着した熱収束板２１の左右の部分が第１，第２シャッタ板２４，２８によって閉塞され、中央の狭小部分のみが開放した状態となる。その結果、図４の正面前方にある狭い領域に熱放射体が存在するときのみ、該熱放射体が発散する熱線を検知することができる。
【００３９】
さらに、図４の左方向前方にある狭い領域に熱放射体が存在するときのみ、該熱放射体が発散する熱線を検知したい場合には、上記のように、第１検知エリア調整レバー２６を図示右方向に移動させるとともに、第２検知エリア調整レバー３０を図示左方向に移動させた状態で、回動体１０に形成した検知方向調整レバー１８を図示左方向に移動させる。すると、回動体１０に固定してある感熱センサ２０が図示左方向を向くとともに、第１，第２のシャッタ板２４，２８も回動体１０と一体となって図示左方向に移動する。その結果、図４の左方向前方にある狭い領域に熱放射体が存在するときのみ、該熱放射体が発散する熱線を検知することができる。
【００４０】
図４の右方向前方にある狭い領域に熱放射体が存在するときのみ、該熱放射体が発散する熱線を検知したい場合には、同様に検知方向調整レバー１８を図示右方向に移動させればよい。
なお、この発明は上述した実施の形態に限定されるものではなく、要旨を逸脱しない範囲で種々の変形実施または応用実施が可能なことは勿論である。
【００４１】
【発明の効果】
以上説明したように、この発明の感熱センサスイッチ装置によれば、シャッタ手段の開閉によって感熱センサに対する熱線の入射範囲を任意に調整することができる。また、感熱センサをケース本体へ回動自在に設けることにより、感熱センサに対する熱線の入射方向をも任意に調整することのできる。
【図面の簡単な説明】
【図１】この発明の一実施形態に係る感熱センサスイッチ装置の分解斜視図である。
【図２】同装置を壁面に取り付けた状態の斜視図である。
【図３】同装置の一部切欠き平面図である。
【図４】同装置の一部切欠き正面図である。
【図５】同装置の一部切欠き側面図である。
【図６】同装置の断面側面図である。
【図７】同装置の背面図である。
【符号の説明】
１：ケース本体            ２：表ケース
３：裏ケース              ４：熱線入射窓
５：カバー                ７：軸受部材
１０：回動体              １１：第１のシャッタ部材
１２：第２のシャッタ部材  １８：検知方向調整レバー
１９：センサ基板          ２０：感熱センサ
２１：熱収束板            ２２：光学レンズ
２４：第１シャッタ板
２６：第１検知エリア調整レバー
２８：第２シャッタ板
３０：第２検知エリア調整レバー
３１：動作モード切替つまみ
３３：明暗感度調整用つまみ
３５：点灯時間調整用つまみ
３７：光検知センサ          ４０：スイッチ基板
４１：動作モードスイッチ
４２：明暗調整ボリューム
４３：点灯時間調整タイマ    ４４：発光ダイオード
４５：放熱板                ４６：電源回路基板
４７：接続端子
【図１】
0003580605.tif 000002
【図２】
0003580605.tif 000003
【図３】
0003580605.tif 000004
【図４】
0003580605.tif 000005
【図５】
0003580605.tif 000006
【図６】
0003580605.tif 000007
【図７】
0003580605.tif 000008